(57)【要約】  背中の荷物のための搬送具用フレーム（１０）であって、延出状弾性要素（１２）を有し、この弾性要素（１２）は、閉ループ状に延出するとともに、交差部どうしの間に肩要素（２０）、係留要素（３０）および腰要素（４０）を形成するような態様でそれ自体交差しており、上記要素（１２）の諸区分は相互に関連して動くことができる。肩要素（２０）は、肩ストラップ（２１）のための肩固定具（６０）を有し、係留要素（３０）は背中の荷物を支持するために構成され、また、腰要素（４０）は腰ベルト（４１）のための腰固定具（８０）を有している。この解決策によれば、腰および肩は、自由にかつ互いに独立して、さらに、荷物からもまた独立して動くことが可能になる。加えて、この構造によれば、背骨の軸方向ねじりが可能になる。これによって、背中の荷物がユーザーの背中において安定状態に配置されるのと同時に、運動の自由が改善される。荷物はこの搬送具用フレームにおいて弾性的に吊り下げられ、さらに、この解決策によれば減衰の可能性もまた付与される。背中の荷物は、リュックサック、チャイルドシートあるいは別のパックにおけるパックバッグ（１０１）でもよい。【選択図】図３
2014511245.tif 000002
【特許請求の範囲】
【請求項１】
背中の荷物のための搬送具用フレーム（１０）であって、
この搬送具用フレーム（１０）が、少なくとも１つの延出状弾性要素（１２、１２ａ〜ｅ）から構成され、かつ、この搬送具用フレームにおける諸要素が互いに対して動くことのできる少なくとも１つの交差部を備えてなり、
前記少なくとも１つの弾性要素（１２）が、上部フレーム端部と第１交差部との間の肩要素（２０）、前記第１交差部と第２交差部との間の係留要素（３０）、および前記第２交差部と下部フレーム端部との間の腰要素（４０）を形成するような態様で、閉ループ状に延出するとともにそれ自体交差する１つの連続状要素であり、前記肩要素（２０）が肩ストラップ（２１）のための上部固定具（６０）を有し、前記係留要素（３０）が背中の荷物を支持するために構成され、さらに、前記腰要素（４０）が腰ベルト（４１）のための下部固定具（８０）を有している、
ことを特徴とする搬送具用フレーム（１０）。
【請求項２】
前記弾性要素（１２）は、中空パイプである、請求項１に記載の搬送具用フレーム。
【請求項３】
前記弾性要素（１２）の両端部が、前記上部フレーム端部でスリーブの中へ入れられている、請求項１に記載の搬送具用フレーム。
【請求項４】
前記弾性要素（１２）は、いくつかのより短い要素（１２ａ〜ｅ）を備えており、ここで、これらのより短い要素の両端部がスリーブの中に取り外し可能に入れられていて、それによって、この搬送具用フレーム（１０）は、組み立てることができるとともに分解することができる、請求項１に記載の搬送具用フレーム。
【請求項５】
前記要素（１２）の第１区分（９２）が、少なくとも１つの交差部でその横断面積よりも大きい弧状部（９４）を有し、それによって、前記要素（１２）の区分（９８）が前記少なくとも１つの交差部の前記弧状部（９２）において自由に動く、請求項１に記載の搬送具用フレーム。
【請求項６】
付加的ないくつかの交差部を備え、それによって、少なくとも１つの快適性要素（５０）が形成されている、請求項１に記載の搬送具用フレーム。
【請求項７】
前記係留要素（３０）は、交差部を備えており、それによって、いくつかの副要素（３０ａ、３０ｂ）に分割されている、請求項１に記載の搬送具用フレーム。
【請求項８】
前記係留要素は、減衰要素（３２）を備えている、請求項１に記載の搬送具用フレーム。
【請求項９】
請求項1〜８のいずれか１項に記載された搬送具用フレーム（１０）を有している搬送具用システム（１００）であって、
前記肩要素（２０）が、前記肩ストラップ（２１）へしっかりと連結された上部固定具（６０）の中に配置され、前記腰要素（４０）が、前記腰ベルト（４１）へしっかりと連結された下部固定具（８０）の中に配置されており、また、係留固定具（７０）が、背中の荷物へしっかりと連結されているとともに、力をその荷物から前記係留要素（３０）まで伝達するように構成されている搬送具用システム（１００）。
【請求項１０】
前記上部固定具（６０）、前記下部固定具（８０）および前記係留固定具（７０）は、布地からなるポケットである、請求項９に記載の搬送具用システム。
【請求項１１】
前記係留固定具は、２つのポケット（７２、７４）を備える、請求項９または１０に記載の搬送具用システム。
【請求項１２】
前記背中の荷物は、前記係留要素（３０）へブラケット（３１、３２）で固定されている、請求項９〜１１の１つに記載の搬送具用システム。
【発明の詳細な説明】
【技術分野】
【０００１】
本発明は、背中の荷物、例えば、リュックサック、チャイルドシートあるいは別のパックのための搬送具用フレームに関する。
【背景技術】
【０００２】
伝統的に、肩ストラップを設けた堅いフレームが、ユーザーの背中に荷物を固定するとともに配分するために使用されてきた。第１の例は、伝統的なリュックサックであり、そこでは、荷物は、フレームへ固定されユーザーの背中から離されたパックバッグの中に置かれている。この場合には、そのフレームはまた、その中に荷物が置かれるパックバッグを補強している。大袋に加えて、あるいは大袋の代わりに、他の荷物、例えばスキー、呼吸用ガスボンベ、チャイルドシートあるいは他の堅い物体をそのようなフレームへ固定することが知られている。そのような搬送具用フレームには、荷物を肩と腰との間でより良好に配分するために、腰ベルトを設けることができる。このフレームは次いで、その荷物を考え得る最良の方法で配分するために、ユーザーの背中へできるだけ近接するように固定される。その結果、ユーザーの動きはその堅いフレームによって同時に妨げられ、また、ユーザーにとっては快適性と能率が減少する。
【０００３】
いっそう進歩した搬送具用フレームは、いくつかの環と可撓性要素を有する。これらのフレームによれば、改善された快適性がもたらされるが、それに関連して、より大きい複雑性とコストとが伴っている。さらに、その材料のために、自由度数がしばしば制限され、その結果、いくつかの部分は１つの方向に曲げることができるが、この方向に対して横断する方向には曲げることができない。
【０００４】
米国特許第５，５０３，３１４号公報は、荷物をユーザーの重心へ向けて移動させて、より重い荷物をいっそう快適にかつより少ない体力消費量で搬送することのできる搬送具用装置を開示している。この搬送具用装置は、使用に際して、らせん状に形成されたフレーム要素を覆う胸ストラップと腰ストラップとにより、荷重をユーザーへ伝達するが、ここで、これら２つの要素は、ユーザーの背中に沿って伸びているとともに１回あるいは数回、互いに交差している。これによって、固有の衝撃減衰性および可撓性がもたらされている。加えて、この搬送具用装置は、それ自体、調節可能な衝撃吸収用機構を有する。この搬送具用装置によれば、より良好な運動の自由がユーザーに付与されるとともに肩の下方における圧縮力が排除されるが、その理由は、上記肩ストラップが、存在しないか、あるいは、上記肩ストラップが、荷物をユーザーの背中に近接させてその荷物からの重さを伝達することなく保持するためにだけ使用されているからである。この装置は、異なる胸寸法に適合するように調節可能であり、また、様々な諸目的、例えば旅行用サックとして、チャイルドシート、軍事用パック、消防士のパックなどのために、使用することができる。
【０００５】
米国特許出願公開第２０１０／０１７６１７１  Ａ１号公報は、可撓性フレームシステムの備わった多用途パックを開示しており、ここでは、このパックに延出された弾性のある構造を設けるために、いくつかの可撓性フレーム部材がパック本体の中におけるいくつかのガイドに係合している。これらのフレーム部材には、１個あるいは数個の交差部を形成することができる。いくつかの実施形態では、着用者の運動の自由を向上させるために、肩ハーネスと上記パック本体との間に浮動状連結装置が存在している。いくつかの実施形態はまた、胴ハーネスへ直接連結されて上記パックの荷重を着用者の胴および腰へ移動させる可撓性フレーム部材を含んでもよい。上記文献には、外側要素および内側要素を有し、製品に構造、耐久性、可撓性および弾性を付与する可撓性ロッドもまた記載されている。
【発明の概要】
【発明が解決しようとする課題】
【０００６】
本発明によって解決すべき課題は、従来技術と比較して、従来技術による利点を維持しながら、改善された耐荷重性および搬送快適性を付与する搬送具用フレームを提供することである。
【課題を解決するための手段】
【０００７】
本発明によれば、上記課題は、背中の荷物のための搬送具用フレームであって、この搬送具用フレームが、少なくとも１つの延出状弾性要素から構成され、かつ、この搬送具用フレームにおける諸要素が互いに対して動くことのできる少なくとも１つの交差部を備えてなる搬送具用フレームで解決される。この搬送具用フレームは、上記少なくとも１つの弾性要素が、上部フレーム端部と第１交差部との間の肩要素、上記第１交差部と第２交差部との間の係留要素、および上記第２交差部と下部フレーム端部との間の腰要素を形成するような態様で、閉ループ状に延出するとともにそれ自体交差する１つの連続状要素である、ことを特徴とする。上記肩要素は肩ストラップのための固定具を有し、上記係留要素は背中の荷物を支持するために構成され、さらに、上記腰要素は腰ベルトのための固定具を有している。
【０００８】
換言すれば、上記弾性要素は、一連のループとして形成された搬送具用フレームを画定しており、ここで、それぞれのループは上記弾性要素がそれ自体交差するように画定されている。これらのループは、使用時にこの搬送具用フレームからユーザーの肩および上部背中部分まで肩ストラップによって力を伝達する肩要素、その力が荷物からこの搬送具用フレームまで伝達される荷物を係留するための係留要素、およびユーザーの腰および／または下部背中部分まで腰ベルトによって荷重を伝達する腰要素を形成している。
【０００９】
この解決策によれば、腰および肩は、自由にかつ互いに独立して、さらに、例えばパックバッグであってもよい荷物からも独立して、動くことが可能になる。加えて、この構造によれば、背骨の軸方向ねじりが可能になる。これによって、パックの荷物が使用中の着用者の背中において安定状態に維持されながら、運動の自由が向上する。荷物はこの搬送具用フレームにおいて弾性的に吊り下げられており、さらに、この解決策によれば、減衰の可能性もまた付与される。
【００１０】
上記弾性要素は、重量を軽減するために中空パイプであってもよく、また、この要素の両端部は、これらを上記上部フレーム端部でスリーブの隔てられた両端部の中へ挿入することによって、連結することができる。
【００１１】
代わりに、上記弾性要素は、互いから解放することができてその結果、この搬送具用フレームを使用しないときには分解することができる、より短い複数の要素から組み立てられてもよい。
【００１２】
必要であれば、上記フレームは、搬送快適性および／または耐荷重性をさらに向上させるために、いくつかのループに分割することができる。
【００１３】
さらに別の態様において、本発明は、このような搬送具用フレームを有する搬送具用システムに関する。この搬送具用システムでは、上記肩要素は上記肩ストラップへしっかりと連結された上部固定具の中に配置され、上記腰要素は上記腰ベルトへしっかりと連結された下部固定具の中に配置されており、また、係留固定具が、背中の荷物へしっかりと連結されているとともに、力をその荷物から上記係留要素まで伝達するように構成されている。
【００１４】
上記上部固定具、上記下部固定具および上記係留固定具は、布地からなるポケットであるのが好ましく、また、これらのポケットの代わりにあるいはこれらのポケットに加えて、背中の荷物を上記係留要素に格納するためのブラケットであってもよい。
【図面の簡単な説明】
【００１５】
本発明は、添付図面を参照する代表的ないくつかの実施形態によって、以下に示すようにさらに説明される。
【図１】図１は、肩要素、係留要素（荷物の支持体）、および腰要素で包囲され、かつ、これらの要素に分割された搬送具用フレームを示している。
【図２】図２は、描かれたパックバッグが設けられた図１の搬送具用フレームを示している。
【図３】図３は、一方側部に描かれた搬送具用システムが設けられた図２の搬送具用フレームを示している。
【図４】図４は、完全な搬送具用システムを備えた図３の搬送具用フレームを示している。
【図５】図５は、この搬送具用フレームを側面図で示している。
【図６】図６は、交差部が表わされたこの搬送具用フレームを斜視図で示している。
【図７】図７は、搬送具用フレームを正面図で示している。
【図８】図８は、取り外し可能な／取り換え可能な荷物のための代表的な固定用システムを斜視図で示している。
【図９】図９は、取り外し可能な／取り換え可能な荷物のための固定用システムの一例を正面図で示している。
【図１０】図１０は、このシステムの動きの可能性についての概略図である。
【図１１】図１１は、このシステムの変形例の概略図である。
【図１２】図１２は、表わされた係留固定具（係留要素のフレーミング）がある図１０の概略図である。
【図１３】図１３は、表わされた係留固定具（係留要素のフレーミング）がある図１１の概略図である。
【発明を実施するための形態】
【００１６】
図１は、本発明による搬送具用フレーム１０の概略図を示しており、ここで、細長い１つの弾性要素１２が、それ自体交差し、それによって、この搬送具用フレームを、肩ストラップのための上部固定具６０を備えた肩要素２０、荷物を支持するための係留固定具７０を備えた係留要素３０、および腰ベルトのための下部固定具８０を備えた腰要素４０に分割するように、曲げられている。図１では、上部固定具６０および下部固定具８０は布地からなるポケットとして示されている。これらのポケットは、肩ストラップ２１を肩要素２０へ、かつ／または、腰ベルト４１を腰要素４０へ取り付けることのできるコーデュラからなるかあるいは他の適切な柔軟性材料からなるストラップによって、代わりに取り換えることができる。後者の場合には、弾性要素１２はそれ自体、上部固定具６０および下部固定具８０を形成することができる。図７は、上記諸要素がそれらのそれぞれの固定具の中に挿入されていない搬送具用フレーム１０を示している。
【００１７】
図１は、２つのポケット７２および７４として構成された係留固定具７０をさらに示している。これらのポケットは、荷物、例えば図２〜図４に示されたようにパックバッグ１０１へ取り付けることができ、また、図１に示されたように係留要素３０の周りに配置することができる。あるいは、荷物はブラケットで係留要素３０へ固定することができる。このことは、図８および図９を参照して、以下でさらに説明される。
【００１８】
これらの実施形態の共通原理は、細長い連続状の弾性要素１２が一連のループとして構成されていることであり、ここで、これらのループは、図８における交差部のような態様に交差している上記弾性要素によって、互いから隔てられている。１つのループが、上部フレーム端部と第１交差部との間で肩要素２０を画定している。第２のループが係留要素３０を画定し、また、第３のループが同様にして腰要素４０を画定している。さらに別の交差部が、第４のループおよびそれに続くループ、例えば図１１Ｅおよび図１３Ｅに示されるような１つ以上の快適性要素５０を形成することができる。
【００１９】
好ましくは、弾性要素１２が中空のパイプあるいは中実の金属ストリング、例えば鋼ストリングであることである。重量、強度および価格によって、具体的な選択が決定される。プラスチックあるいは繊維の複合体もまた使用することができるが、そのような非金属性材料は、過荷重がかかると簡単に破断し、次いで、布地製ポケットに不必要につけられるかあるいはユーザーを害することのある鋭利な端部を形成する。もし弾性要素が破断すると、搬送具用フレームはまたその機能の多くを失う。
【００２０】
図２〜図４は、搬送具用フレーム１０を使用する搬送具用システム１００の一例を示している。この例では、その搬送具用システムは、荷物がパックバッグ１０１の中に置かれるリュックサックである。使用に際して、肩要素２０および腰要素４０は、肩ストラップ２１および腰ベルト４１によってユーザーへ取り付けられる。それによって、荷物の重さは、搬送具用フレーム１０から肩要素２０および腰要素４０を介してユーザーまで伝達される。
【００２１】
背中の荷物は、パックバッグ１０１へ貼り付けられたポケット７２および７４を通じて主として係留要素３０に支持され、かつ、係留要素３０の周りに配置される。このことは、荷物からの重さの大部分が係留要素３０を介してこの搬送具用フレームへ伝達されるということを意味している。搬送具用フレーム１０は、弾性的なものであり、また、係留要素３０、肩要素２０および腰要素４０の間の相対運動を減衰させる。これら３つの要素２０、３０および４０は、以下でさらに詳しく説明されるように、ユーザーの背骨に沿って実質的に伸びる鉛直軸について互いに対して、かつ、これとは別に水平軸について横断状に、さらにねじることができる。この搬送具用フレームによれば、ユーザーが腰および肩を自由に、また、互いに独立して、さらに、この例ではパックバッグ１０１である背中の荷物からも独立して、動かすことが可能になる。加えて、この構造によれば、背骨の軸方向ねじりが可能になる。これによって、他の公知の諸構造よりも良好な運動の自由が付与される。
【００２２】
図５は搬送具用フレーム１０の側面図である。この実施形態では、肩要素２０および係留要素３０によって第１平面が形成されているのに対し、腰要素４０は、上記第１平面に対して平行であって上記第１平面から変位された第２平面に存在している。図５における例は、この搬送具用フレームが平坦である必要はないものの、ユーザーの背中のように、ある程度まで成形することができる、ということを例示するために意図されている。
【００２３】
図６は、搬送具用フレームを示しており、ここでは、弾性要素１２の第１区分９２が弧状部９４を有し、その弧状部が、要素１２の第２区分９８を越えて、かつ、第２区分９８の周りに配置されている。それによって、これら２つの要素９２および９８は、その交差部で互いに係合することがない。このことによって、それらの交差部での摩擦および摩耗が減少するであろう。
【００２４】
図７は固定手段のない搬送具用フレームを示している。弾性要素１２は、図１を参照して上で説明されたように、曲げることができる。あるいは、弾性要素１２は、図７に示されるように、いくつかの短い要素１２ａ、１２ｂなどを備えてもよい。これらの短い要素１２ａなどの両端部はスリーブに連結されていてもよく、それによって、搬送具用フレーム１０は、使用の前に組み立てて使用の後に分解することができる。
【００２５】
図８および図９は、係留要素３０にブラケット３１および３２を有する搬送具用フレームを示している。このようなブラケットは、力を背中の荷物から搬送具用フレーム１０まで伝達する布地製ポケット（図１における７２、７４）に対する接触表面を増大させるために使用することができる。このことは、弾性要素１２が比較的細いストリングであるときには適切であろう。代わりに、対応するブラケット３１および３２を、パックバッグ１０１よりも他の物体を固定するために使用することができる。
【００２６】
図１０Ａ〜図１０Ｆは、この設計によってもたらされたいくつかの運動の自由を示している。
【００２７】
図１０Ａは、上記肩要素が、係留要素３０および腰要素４０から独立して長手方向にどのように引き伸ばされかつ圧縮されるかを示している。これに対応して、図１０Ｂは、腰要素４０が、係留要素３０および肩要素２０から独立して長手方向にどのように引き伸ばされかつ圧縮されるかを示している。それによって、係留要素３０は、肩要素２０および腰要素４０の両者に対して長手方向に変位することができるので、ユーザーは身体を、ある程度まで前方および後方へ、同程度まで追随する荷物に関わりなく曲げることができる。上記弾性要素は、この搬送具用フレームの長手方向における衝撃の吸収も行うので、荷物はユーザーに関連していっそうゆっくりと動き、その結果、取り扱いやすい。荷重力は、この搬送具用フレームが図１０Ａおよび図１０Ｂに示されるように圧縮されかつ／または引き伸ばされるようにユーザーがお辞儀したり、跳んだり、あるいは歩いたりするときにもまた、肩要素２０および腰要素４０がユーザーの背中に接して位置するように、肩要素２０と腰要素４０との間で有利な態様に配分される。
【００２８】
図１０Ｃは、肩要素２０が、係留要素３０および腰要素４０から独立してこの搬送具用フレームの長手軸に対して横断状にどのように曲げられるかを示している。これに対応して、図１０Ｄは、腰要素４０が、係留要素３０および肩要素２０から独立してこの搬送具用フレームの長手軸に対して横断状にどのように曲げられるかを示している。このことから、ユーザーは、基本的にユーザーの重心に関して変位された係留要素３０に格納された荷物に関わりなく、肩および腰を互いに独立して横方向に動かすことができる、ということがわかる。これによって、荷物が上記肩要素と上記腰要素との間に有利な態様で配分されるのと同時に、荷物とユーザーの背中との間におけるねじり力を減衰することで、搬送具の快適性が増大する。
【００２９】
図１０Ｅは、肩要素２０が、この搬送具用フレームの長手軸の周りに、すなわち、ユーザーの背骨に実質的に沿って、上記係留要素および上記腰要素から独立してどのようにねじられるかを示している。これに対応して、図１０Ｆは、上記腰要素が、この搬送具用フレームの長手軸に沿って、上記係留要素および上記肩要素から独立してどのようにねじられるかを示している。その結果、この構造によれば、上記長手軸の周りに対応して向きを変えられる荷物に関わりなく、ユーザーの背骨に沿ったねじりが可能になる。そのようなねじりは、ユーザーが普通に歩くときに、すなわち、右足と左腕とを同時に前方へ動かし、その後、左足と右腕とを同時に前方へ動かすときに、生じる。搬送具用フレーム１０が肩要素２０および腰要素４０を介してユーザーへ確実に固定され、それによって、荷物がそれほど多く向きを変えられることがないのと同時に良好な重量分布がユーザーの肩と腰との間に保証されるという点で、搬送具の快適性が増大する。その結果、ユーザーは、この搬送具用フレームの長手軸について不必要に多く向きが変わる背中における重量感を補償することがなくなる。
【００３０】
運動の自由は、弾性要素１２のいくつかの区分が交差部において互いを越えて滑らかに動いている点でもたらされた、かなりの程度まである。好ましい実施形態では、弾性要素１２の上記区分は、このフレームがねじられ、圧縮され、あるいは引き伸ばされたときに、互いに対して滑らかに動いている。図６における代わりの実施形態では、覆い被さっている区分９２は、下に位置する区分９８から格別の距離を付与する弧状部９４を有する。あるいは、下に位置する区分に、対応する弧状部が設けられていてもよい。
【００３１】
図１２Ａ〜図１２Ｆは、図１０Ａ〜図１０Ｆに対応しており、ここでは、係留要素３０の周りに示された係留固定具が備わっている。図１２Ａ〜図１２Ｆは、上記力が荷物から係留要素３０を介して搬送具用フレーム１０まで配分されることと、この搬送具用フレームの動きの大部分が上記肩要素および上記腰要素において生じるとともにこれらの要素どうしの間の交差部においても生じるように、係留固定具７０が係留要素３０を保持することを例示している。図１０Ａ〜図１０Ｆを参照して説明された上記自由、すなわち、ユーザーの運動の自由は、それゆえ、荷物がこの搬送具用フレームに格納されたときにもまた充分に維持されている。
【００３２】
荷物、例えばパックバッグが肩要素２０、係留要素３０および腰要素４０へきつく固定されると、これらの要素は、引き寄せられる荷物に関わりなくその荷物が肩および腰を、もはや動かすおそれのないように、荷物を介して連結される。従って、要求された運動の自由を達成するために、荷重は上記係留要素によって実質的に吸収されなければならず、また、荷物と上記肩要素と上記腰要素との間の連結は、よりゆるく、例えば、ストラップあるいは一片の布地が、吸収される荷重とは関わりなく上記肩要素の近傍で荷重を保持する点で、よりゆるく行われる。同時に、上記肩ストラップおよび上記腰ベルトがユーザーの身体の近傍で上記肩要素および上記腰要素をそれぞれ保持するので、荷重は上記係留要素によって吸収されるとともに、この搬送具用フレームによって、ユーザーの肩および腰に配分される。その結果、上記運動の自由のあらゆる組み合わせが維持される。
【００３３】
弾性および減衰に依存するとともに荷重を減衰するいかなる形態にも関わりのない快適性は、振動から始まる。図１２Ａ〜図１２Ｆに関連して説明されたように、布地製ポケット７０、７２、７４の形態にある係留固定具によって、多くの状況において充分な減衰が付与される。このポケットは係留要素３０を部分的にあるいは完全に包囲している。上記係留要素からの力は、上記布地製ポケットにおいて吸収され、また、上記ポケットは、係留要素３０が通常の使用によって大きく変形される程度を制限するが、これについては図１２Ａ〜図１２Ｆを参照のこと。
【００３４】
対応する布地製ポケット６０および８０を、上記肩要素および上記腰要素の周りに対応してきつく配置することができ、それによって、上記肩要素および上記腰要素が通常の使用で大きく変形される程度が制限される。これらの布地製ポケット６０および８０は、弾性要素１２が上記交差部において可動であるという点で、依然として所望の運動の自由を付与することができる。これらのポケット６０および８０は、荷物を安定させるとともにユーザーに安定感を付与するために、荷物に固定されるのが好ましい。これらのポケット６０、８０と荷物との間の固定具は、荷重を吸収するものではなく、また、それゆえ、図１０および図１２に示されたように、求められた偏位が上方、下方、横方向などへのものであってもよい。
【００３５】
減衰は、図１１Ｄに示されたように、例えば、この搬送具用フレームの長手方向に対して横断状に配置された衝撃吸収用シリンダー３３のような代わりの減衰要素によってもまた、得ることができる。減衰手段は、この搬送具用フレームの長手方向に、あるいはこの搬送具用フレームの他の諸要素に、代わりに搭載することができる。
【００３６】
この搬送具用フレームによれば、上記係留要素が、開口部に配置された第１係留固定用ポケット７２および第２係留固定用ポケット７４であって、互いに対向しかつこの搬送具用フレームがこれらのポケットの中へ滑り込むことができるように充分に広い開口を備えている第１係留固定用ポケット７２および第２係留固定用ポケット７４として実施された係留固定具へ取り付けられる点で、リュックサックへの取り付けの可能性もまたもたらされるが、これについては図２を参照のこと。図２では、第１係留固定用ポケット７２および第２係留固定用ポケット７４は、荷物（上記パックバッグ１０１）からこの搬送具用フレームまで力を正確に伝達するために、その荷物に近接するようにして取り付けられている。
【００３７】
図１１Ａは、肩ストラップ２１および腰ベルト４１がこの搬送具用フレームへ直接取り付けられた実施形態を示している。
【００３８】
図１１Ｂは、図面において他のものとして表示された鋭利な屈曲部の代案としての弧状部を備えた実施形態を示している。鋭利な屈曲部を設けることによって、いくつかの材料が硬化され、その結果、他の機械的諸性質が付与される。複合材料、グラスファイバーおよびカーボンファイバーのような他の材料は、鋭利な屈曲部を設けるのに適していないため、典型的にはより丸みを帯びた弧状部がある形状に製造する必要がある。
【００３９】
図１１Ｃは、係留要素３０が二重ループ３０ａ、３０ｂである実施形態を示している。
【００４０】
図１１Ｄは、減衰が減衰要素３３の中で生じる実施形態を示しており、その減衰要素の一例としては、減衰要素としての係留固定具７０の使用の代案あるいは付加案としての吸収体シリンダーが挙げられる。
【００４１】
図１１Ｅは、回転の自由を改善することもできるさらに別の交差部をもたらす付加的な快適性ループ５０を示している。
【００４２】
図１３Ａ〜図１３Ｅは、係留要素３０の周りに配置された係留固定具７０を有している、図１１Ａ〜図１１Ｅからの変形例を示している。図１３Ｃでは、係留固定具７０は２つのループ３０ａ、３０ｂの周りに位置している。
【００４３】
本発明は、例としてのリュックサックについて記載されている。本発明は、上記序論に記載されたように、チャイルドシート、軍事用パックなどのための一般的な固定用フレームとして使用することもできる。
【００４４】
本発明は人間が使用するために主として記載されているが、とりわけ背中が傷つきやすいかあるいは別の方法で過荷重から保護しなければならない動物にもまた、荷物を負わせるためにまた鞍として、同じ原理を適用することができる。
【図１】
2014511245.tif 000003
【図２】
2014511245.tif 000004
【図３】
2014511245.tif 000005
【図４】
2014511245.tif 000006
【図５】
2014511245.tif 000007
【図６】
2014511245.tif 000008
【図７】
2014511245.tif 000009
【図８】
2014511245.tif 000010
【図９】
2014511245.tif 000011
【図１０Ａ】
2014511245.tif 000012
【図１０Ｂ】
2014511245.tif 000013
【図１０Ｃ】
2014511245.tif 000014
【図１０Ｄ】
2014511245.tif 000015
【図１０Ｅ】
2014511245.tif 000016
【図１０Ｆ】
2014511245.tif 000017
【図１１Ａ】
2014511245.tif 000018
【図１１Ｂ】
2014511245.tif 000019
【図１１Ｃ】
2014511245.tif 000020
【図１１Ｄ】
2014511245.tif 000021
【図１１Ｅ】
2014511245.tif 000022
【図１２Ａ】
2014511245.tif 000023
【図１２Ｂ】
2014511245.tif 000024
【図１２Ｃ】
2014511245.tif 000025
【図１２Ｄ】
2014511245.tif 000026
【図１２Ｅ】
2014511245.tif 000027
【図１２Ｆ】
2014511245.tif 000028
【図１３Ａ】
2014511245.tif 000029
【図１３Ｂ】
2014511245.tif 000030
【図１３Ｃ】
2014511245.tif 000031
【図１３Ｄ】
2014511245.tif 000032
【図１３Ｅ】
2014511245.tif 000033
【国際調査報告】
2014511245.tif 000034
2014511245.tif 000035
2014511245.tif 000036